(57)【要約】      （修正有）【課題】低コストで生産可能で、組み立て作業が容易な、ドリップ式抽出バッグを提供すること。【解決手段】通水性濾過性を有するシート材料に、あらかじめ厚紙等に防水加工をして構成した支持体を貼着して一体に取り付け、シート材料を二つ折りにするための二つ折り部１１を中央に設け、支持体には中央にお湯を注ぐための上方口３を設け、二つ折り部１１を中心として左右に伸びた支持体は長く伸び出た支持側辺１８を構成し、支持体と一体となったシート材料を二つ折り部１１で折り曲げ、袋部２４を構成した。【選択図】図４
2019188107.tif 000002
【特許請求の範囲】
【請求項１】
通水性濾過性を有するシート材料１に、あらかじめ厚紙等に防水加工をして構成した支持体２を、シート材料１の端部２３を周囲に、のこして貼着し一体に取り付け、このシート材料１を二つ折りにするための二つ折り部１１を中央に設けており、この支持体２には中央にお湯を注ぐための上方口３を設け、その周囲にはシート材料１に対し同じ形状でミシン目４を設けている、二つ折り部１１を中心として左右に伸びた支持体２は長く伸び出た支持側辺１８を構成し、その先端側には各カップ２６の口部をとらえる凹部５を両端側に有し中央部には支持ガード７を設けている、さらに各凹部５の両端には各、係止ガード６を有している、支持体２が全体で台形型を構成しカップ２６上に位置するための折り曲げ部は二つ折り部１１の両側に平行した形で上方口３の両端を通り伸びており支持体２の端部側に伸びるに従がい互いに間隔を挟める弧を描く形状の弧状折り部１５をそれぞれ設けて上方口３を有した上板１９側を構成した、この巾より左右の下方向に広く開き長く伸びた支持側辺１８で、全体としての台形型を形成している、さらに二つ折り部１１の両端側の端部３１は、それぞれ二つ折り部１１の折り目を伸ばし固定するための折り曲げ辺８を設けており、この上板１９の外側に位置している、この上板１９と折り曲げ辺８との間の折り曲げ部１０は左右の弧状折り部１５まで達している、上方口３の巾より折り曲げ部１０の巾は、左右の弧状折り曲げ部１５の形状により、巾が小さく狭くなっており、短い折り曲げ部１０である、又この折り曲げ部１０は、中央部の二つ折り部１１を中心として切り込み部９を有し、左右の弧状折り部１５側に、それぞれ折り曲げ部２７を有して構成した折り曲げ部１０である、さらに折り曲げ辺８の折り込み端部１４の中央部から左右外方向に伸びた、帯状の折り込み部１２は、さらに各、その先端が支持体２が台形を形成した時の支持側辺１８の外辺３６に伸びて折り目１３を有して一体となっており、一体となった、この位置は外辺３６上で飛び出た状態で位置している、さらに、この外辺３６には窪みを設け支持体２を持つ時に使用する、つまみ部１６としており、支持体２から切り取られ分離した部分を押さえ辺３０とし袋部２４の角部３５側に位置しシート材料１に貼着されている、支持体２とシート材料１の貼着部は上方口３の周囲に設けた貼着部２８とさらに左右に伸びた支持側辺１８の中央部に貼着部２９を袋部２４の胴体部の巾に貼着している、この支持体２と一体となったシート材料１を二つ折り部１１で折り曲げ各三辺の端部２３部を互いに合わせ一体に貼り合わせ袋部２４を構成していることを特徴とするドリップ抽出バッグである。
【請求項２】
上方口３の巾より折り曲げ部１０の巾は、左右の弧状折り曲げ部１５の形状により、巾が小さく狭くなっている、短い折り曲げ部１０である事を特徴とした請求項１記載のドリップ抽出バッグ。
【請求項３】
折り曲げ部１０は中央部の二つ折り曲げ部１１を中心として切り込み部９を有し、左右の弧状折り部１５側に、それぞれ折り曲げ部２７を有して構成した折り曲げ部１０である事を特徴とした請求項１記載のドリップ抽出バッグ。
【請求項４】
上板１９側を構成した、この巾から左右の下方向に開き構成した台形型の伸び出た支持辺１８が長い形状をしている事を特徴とした請求項１記載のドリップ抽出バッグ。
【請求項５】
上方口３を有した上板１９側を構成した、この巾より左右の下方向に広く開き長く伸びた支持側辺１８で、全体としての台形型を形成している、さらに二つ折り部１１の両端側の端部３１は、それぞれ二つ折り部１１の折り目を伸ばし固定するための、折り曲げ辺８を設けている事を特徴とした請求項１記載のドリップ抽出バッグ。
【請求項６】
支持体２とシート材料１の貼着部は上方口３の周囲に設けた貼着部２８と、さらに左右に伸びた支持側辺１８の中央部に貼着部２９を袋部２４の胴体部の巾に合わせた巾で設け袋部２４の胴体部に貼着している事を特徴とした請求項１記載のドリップ抽出バッグ。
【請求項７】
折り曲げ辺８と帯状の折り込み部１２からなる折り込み部を、二つ折り部１１の折り目を中心に設けた、折り曲げ部３３を有した巾の狭い、小さい折り曲げ辺２０を設けて、その先端の折り込み端部１４から帯状の折り込み部１２として構成した折り曲げ部としたことを特徴とする請求項１記載のドリップ抽出バッグ。
【請求項８】
折り曲げ辺８と帯状の折り込み部１２からなる折り込み部を、端部３１方向に伸び出た長い、折り込み辺２２を設け、その両端に外辺３６に連結した小さな三角形折り込み辺２１を２本の折り曲げ線３２で構成し設けた、小型の折り込み部を有している折り込み部である事を特徴とした請求項１記載のドリップ抽出バッグ。
【発明の詳細な説明】
【技術分野】
【０００１】  本発明は飲用容器上に置きセットして使用する、レギュラーコーヒー等の使い捨てタイプのドリップ式抽出バッグであり、通水性濾過性を有したシート材料で構成した、上方に開口部を有した濾過袋であり、この濾過袋に防水加工をした厚紙等の部材で構成した支持体を取り付て設けており、カップ等の飲用容器の口部上に、この支持体で濾過袋を支持し定置させており、この袋内のコーヒー粉に、お湯を注ぎ入れ抽出ドリップし使用するドリップ抽出バッグに関するものである。
【背景技術】
【０００２】  従来、濾過袋をカップ口部上に位置させ定置させるために、濾過袋に取り付けた支持体は、柔軟性のある濾過袋を硬性のある支持体でカップ口部上にカップ口部を支持体が、とらえ濾過袋の袋形を形成しながら、カップ口部上に濾過袋を保持するものであるが、この支持体を多く使用できるタイプの抽出バッグは、濾過袋をカップ上に高く位置させカップ内の湯面に接する事なくドリップ性が高いが、他方で製袋方式である抽出バッグは、濾過シートにあらかじめ支持体を取り付けて貼着しており、このシート状の濾過袋を二つ折りにして、折り目以外の三辺の端部を封じ、中にコーヒー粉を充墳しており、この製袋方式は三辺を封じる工程がある為に、この三辺の端部どうしを貼着する為のスペースを確保しなければならず、このスペースの内側の範囲内だけに支持体の大きさに限定されるため、大きな支持体面積を使用できず、カップ口部上に高く濾過袋を浮かせドリップ性を高める事はできずカップの口部を、とらえ濾過袋をカップ内に位置させる、つり下げ方式的になる傾向にあり、袋部が半分お湯に浸す半分ドリップの方式になり完全ドリップには不向きであるなど課題や制約が多かったが、濾過袋形より外側に支持体が大きく伸び出る事のできるタイプに比較し製袋方式タイプは設備費が１０分の１程度と商品コストの面では大きな利点があった。
【先行技術文献】
【特許文献】
【０００３】
【特許文献１】実開  昭５７−１４５３２２
【特許文献２】実用新案登録第３０４２２９２号
【特許文献３】特願２００１−５５６１４３
【特許文献４】特開２００９−１６０３５５
【特許文献５】特開２００４−１７８５
【特許文献６】特開２００４−２４７００
【特許文献７】実用新案登録第２５０５９５９号
【特許文献８】特開２００４−２３０１４３
【発明の概要】
【発明が解決しようとする課題】
【０００４】  それには次のような問題点があった。
（イ）濾過袋をカップ上に位置させるタイプの（実開  昭５７−１４５３２２）や（実用新案登録第３０４２２９２号）は袋の位置が高く、カップ内のお湯に袋の下部が浸る事がなくドリップ性は良いが、生産設備が大規模となる課題があり、高コストとなる
（ロ）それに比較し（特開２００１−５５６１４３）などの製袋方式の場合では生産設備が１０分の１程度であるため低コストな利点があるが（実用新案登録第２０５０５９５９号）や（特開２００４−２３０１４３）などでは、製袋方式の特徴として、濾過性を有したシート材料に、あらかじめ支持体を貼り付けてある状態のシート材料を二つ折りにしながら合わせた三辺の端部を封じながら構成する袋内にコーヒー粉を充墳して行く方式であるため封じるための三辺の端部のスペースを残した内側の範囲内のサイズの大きさの支持体になるため、支持体によりカップ内のお湯に浸らない様に濾過袋をカップ上に高く位置させ保持する構造を構成する事は難しかった。
（ハ）製袋方式タイプの中でも（特開２００４−２４７００）や（特開２００４−１７８５）などではカップ上に高く濾過袋を位置させる事はできたがお湯の注ぎ口形が三角型であったり、注ぎ口より上方に伸び出た支持体があり又注ぎ口が小さくなるなどお湯が注ぎづらいなどの課題もあった。
（ニ）又、同じ生袋方式でも（特開２００１−５５６１４３）や（特開２００９−１６０３５５）では、カップにセットする時に支持体で箱型を構成してカップにセットするタイプがあったが箱型を形成する際に二つ折りにして構成する製袋方式の折り目の部分の折り目を伸ばし支持体を平た状態にして、これを維持、固定するために折り目線の両端の支持体端部を折り目線を中心に下方に折り下げる折り込み部を設けており、この折り込み部は、折り曲げる部分の量が多いと大きな力を加えて下方に折り込む事になり、伸ばし固定しようとする折り目を逆に下方に折り曲がってしまうなどして、カップ上にセットするために組み立てる作業が手数を要した困難な面があった。本発明は、これらの問題点を解決するためになされたものである。
【課題を解決するための手段】
【０００５】    本発明では、通水性濾過性を有するシート材料１に、あらかじめ厚紙等に防水加工をして構成した支持体２を、シート材料１の端部２３を周囲に、のこして貼着し一体に取り付け、このシート材料１を二つ折りにするための二つ折り部１１を中央に設けており、この支持体２には中央にお湯を注ぐための上方口３を設け、その周囲にはシート材料１に対し同じ形状でミシン目４を設けている、二つ折り部１１を中心として左右に伸びた支持体２は長く伸び出た支持側辺１８を構成し、その先端側には各カップ２６の口部をとらえる凹部５を両端側に有し中央部には支持ガード７を設けている、さらに各凹部５の両端には各、係止ガード６を有している、支持体２が全体で台形型を構成しカップ２６上に位置するための折り曲げ部は二つ折り部１１の両側に平行した形で上方口３の両端を通り伸びており支持体２の端部側に伸びるに従がい互いに間隔を挟める弧を描く形状の弧状折り部１５をそれぞれ設けて上方口３を有した上板１９側を構成した、この巾より左右の下方向に広く開き長く伸びた支持側辺１８で、全体としての台形型を形成している、さらに二つ折り部１１の両端側の端部３１は、それぞれ二つ折り部１１の折り目を伸ばし固定するための折り曲げ辺８を設けており、この上板１９の外側に位置している、この上板１９と折り曲げ辺８との間の折り曲げ部１０は左右の弧状折り部１５まで達している、上方口３の巾より折り曲げ部１０の巾は、左右の弧状折り曲げ部１５の形状により、巾が小さく狭くなっており、短い折り曲げ部１０である、又この折り曲げ部１０は、中央部の二つ折り部１１を中心として切り込み部９を有し、左右の弧状折り部１５側に、それぞれ折り曲げ部２７を有して構成した折り曲げ部１０である、さらに折り曲げ辺８の折り込み端部１４の中央部から左右外方向に伸びた、帯状の折り込み部１２は、さらに各、その先端が支持体２が台形を形成した時の支持側辺１８の外辺３６に伸びて折り目１３を有して一体となっており、一体となった、この位置は外辺３６上で飛び出た状態で位置している、さらに、この外辺３６には窪みを設け支持体２を持つ時に使用する、つまみ部１６としており、支持体２から切り取られ分離した部分を押さえ辺１７とし袋部２４の角部３５側に位置しシート材料１に貼着されている、支持体２とシート材料１の貼着部は上方口３の周囲に設けた貼着部２８とさらに左右に伸びた支持側辺１８の中央部に貼着部２９を袋部２４の胴体部の巾に貼着している、この支持体２と一体となったシート材料１を二つ折り部１１で折り曲げ各三辺の端部２３部を互いに合わせ一体に貼り合わせ袋部２４を構成していることを特徴とするドリップ抽出バッグである。
【発明の効果】
【０００６】（イ）上方口３を有した上板１９より左右に伸び出た支持側辺１８で構成した台形は、支持側辺１８が長い形状であるため袋部２４をカップ２６の口部上に高く位置させドリップ性が高まる。
（ロ）折り曲げ部１０は支持体２が構成する台形型の上方口３を有する上板１９の巾より長さが小さくしているため折り曲げ辺８を下方に曲げ二つ折り部１１の折り目を伸ばし固定する際の、折り曲げ辺８を下方に押し下げる力が小さくて済み、二つ折部１１が逆に、この時下方向に折れ曲がる事が少なくなる。
（ハ）この折り曲げ辺８の折り曲げ部１０の中央部である、二つ折り部１１部分は、切り込み部９を設けている折り曲げ部１０であるため、実質折り曲げる部分は左右端部の折り曲げ部１０の部分だけが折り曲げられる事になるため折り曲げ部分が小さくなるため大きな力を必要としなくなり又、左右の支持側辺１８側に折り曲げ辺８を下方に押し下げる力の多くが移行し二つ折り部１１側へ加わる力を軽減できる。
（ニ）折り曲げた、折り曲げ辺８が元に戻る事を防ぐための折り込み部は、折り曲げ辺８の中央先端側から左右の支持側辺１８の外辺３６側に細長い帯状で伸び外辺３６側と連結し一体になった帯状の折り込み部１２であるため折り曲げ辺８を下方に曲げ押し下げる時、この折り込み部１２は変形しながら折り込まれるため帯状である事が変形を容易にしており折り曲げ辺８を下方に押し下げる力を軽減している。
（ホ）これら（ロ）と（ハ）と（ニ）により折り曲げ辺８を下方に折り曲げるのに必要な力は小さくなり軽くワンタッチするだけでパクンと折り曲げられる様になった。
（ヘ）上方口３を有する上板１９の巾より左右の下方に開き伸び出た支持側辺１８は袋部２４の胴体と貼着部２９で一体になっているため、左右の支持側辺１８は一定以上開く事を固定できるため開き巾を大径カップの口径に合わせて構成する事で小径カップの場合には左右から手で押さえ開き巾を小さくしてセットする事ができ、従来の様に支持辺が自由に１８０°に開くタイプに比較し、開き加減を固定できているので、カップの口部をとらえセットするのに手数を要さず容易になった。
（ト）従来は全体形が、固定された箱型であったためカップにセットする時に折り目を伸ばし折り目を固定するための折り曲げ辺を下方に折り曲げ、左右の支持辺の間に折り込む際に左右の支持辺の間と折り込み辺の巾が同じであり、折り込みづらかったが、本発明では支持辺が箱型に比較し台形であるため支持辺が下方に開いた形状であるため、折り曲げ辺８の左右に設けた折り込み部を有した場合に折り込めるスペースを生じさせれる様になりその分、組み立てセットが容易になった。又、全体形が台形型となる、このタイプは箱型タイプよりカップ上での安定性も高まる。
【図面の簡単な説明】
【０００７】
【図１】本発明の展開図である。
【図２】本発明の組み立て状態を示す斜視図である。
【図３】本発明のカップへセットする状態を示す斜視図である。
【図４】本発明のカップへセットした状態を示す斜視図である。
【図５】本発明の二つ折り部１１の折り目を伸ばし固定するための折り曲げ辺の他の実施例を示す第１実施例の斜視図である。
【図６】本発明の二つ折り部１１の折り目を伸ばし固定するための折り曲げ辺の他の実施例を示す第２実施例を示す斜視図である。
【発明を実施するための形態】
【０００８】  以下、本発明の実施形態について説明する。
通水性濾過性を有するシート材料１に、あらかじめ厚紙等に防水加工をして構成した支持体２を、シート材料１の端部２３を周囲に、のこして貼着し一体に取り付け、このシート材料１を二つ折りにするための二つ折り部１１を中央に設けており、この支持体２には中央にお湯を注ぐための上方口３を設け、その周囲にはシート材料１に対し同じ形状でミシン目４を設けている、二つ折り部１１を中心として左右に伸びた支持体２は長く伸び出た支持側辺１８を構成し、その先端側には各カップ２６の口部をとらえる凹部５を両端側に有し中央部には支持ガード７を設けている、さらに各凹部５の両端には各、係止ガード６を有している、支持体２が全体で台形型を構成しカップ２６上に位置するための折り曲げ部は二つ折り部１１の両側に平行した形で上方口３の両端を通り伸びており支持体２の端部側に伸びるに従がい互いに間隔を挟める弧を描く形状の弧状折り部１５をそれぞれ設けて上方口３を有した上板１９側を構成した、この巾より左右の下方向に広く開き長く伸びた支持側辺１８で、全体としての台形型を形成している、さらに二つ折り部１１の両端側の端部３１は、それぞれ二つ折り部１１の折り目を伸ばし固定するための折り曲げ辺８を設けており、この上板１９の外側に位置している、この上板１９と折り曲げ辺８との間の折り曲げ部１０は左右の弧状折り部１５まで達している、上方口３の巾より折り曲げ部１０の巾は、左右の弧状折り曲げ部１５の形状により、巾が小さく狭くなっており、短い折り曲げ部１０である、又この折り曲げ部１０は、中央部の二つ折り部１１を中心として切り込み部９を有し、左右の弧状折り部１５側に、それぞれ折り曲げ部２７を有して構成した折り曲げ部１０である、さらに折り曲げ辺８の折り込み端部１４の中央部から左右外方向に伸びた、帯状の折り込み部１２は、さらに各、その先端が支持体２が台形を形成した時の支持側辺１８の外辺３６に伸びて折り目１３を有して一体となっており、一体となった、この位置は外辺３６上で飛び出た状態で位置している、さらに、この外辺３６には窪みを設け支持体２を持つ時に使用する、つまみ部１６としており、支持体２から切り取られ分離した部分を押さえ辺３０とし袋部２４の角部３５側に位置しシート材料１に貼着されている、支持体２とシート材料１の貼着部は上方口３の周囲に設けた貼着部２８とさらに左右に伸びた支持側辺１８の中央部に貼着部２９を袋部２４の胴体部の巾に貼着している、この支持体２と一体となったシート材料１を二つ折り部１１で折り曲げ各三辺の端部２３部を互いに合わせ一体に貼り合わせ袋部２４を構成していることを特徴とするドリップ抽出バッグである。本発明は以上のような構成である。本発明を使用するときは、図２に示す様に、全体を二つ折り部１１で二つに折り、合わせて各３辺の端部２３を、それぞれ封じて一体に貼着する時に構成される袋部２４内にコーヒー粉等を充墳する。図３に示す様に、カップ２６にセットし上方口３を開方するためシート材料１に設けたミシン目４で上方口３を塞ぐ部分のシート材料１を取り除き上方口３を塞ぐ部分のシート材料１を取り除き上方口３を開け、左右の弧状折り部１５を伸ばし台形型を形成し、さらに両端部に設けた二つ折り部１１の折り目を伸ばし固定するための折り曲げ辺８を下方に折り下げ固定し、図４に示す様に、カップにセットし袋部２４内に上方口３からお湯を注ぎ使用する。
【０００９】  二つ折り部１１の折り目を伸ばし固定する他の実施例１として図５に示す様に、折り曲げ辺８と帯状の折り込み部１２からなる折り込み部を、二つ折り部１１の折り目を中心に設けた、折り曲げ部３３を有した巾の狭い、小さい折り曲げ辺２０を設けて、その先端の折り込み端部１４から帯状の折り込み部１２として構成した折り曲げ部とすることでも、下方に折り込む力を小さくすることができる。
【００１０】  二つ折り部１１の折り目を伸ばし固定する他の実施例２、として図６に示す様に、折り曲げ辺８と帯状の折り込み部１２からなる折り込み部を、端部３１方向に伸び出た長い、折り込み辺２２を設け、その両端に外辺３６に連結した小さな三角形折り込み辺２１を２本の折り曲げ線３２で構成し設けた、小型の折り込み部を有している折り込み部小さな三角形折り込み辺２１であるため長く伸び出た、長い折り込み辺２２で、折り込むのに必要な力が小さくて済み容易に折り込める様になる。
【符号の説明】
【００１１】１    シート材料
２    支持体
３    上方口
４    ミシン目
５    凹部
６    係止シート
７    支持ガード
８    折り曲げ辺
９    切り込み部
１０  折り曲げ部
１１  二つ折り部
１２  帯状の折り込み部
１３  折り目
１４  折り込み端部
１５  弧状折り部
１６  つまみ部
１７  押さえ辺
１８  支持側辺
１９  上板
２０  小さい折り曲げ辺
２１  小さな三角型折り込み辺
２２  長い折り込み辺
２３  端部
２４  袋部
２５  ミシン目
２６  カップ
２７  折り曲げ部
２８  貼着部
２９  貼着部
３０  押さえ辺
３１  端部
３２  折り曲げ線
３３  折り曲げ部
３４  切り込み部
３５  角部
３６  外辺
【図１】
2019188107.tif 000003
【図２】
2019188107.tif 000004
【図３】
2019188107.tif 000005
【図４】
2019188107.tif 000006
【図５】
2019188107.tif 000007
【図６】
2019188107.tif 000008